(57)【要約】【課題】置物の前方から位置を変えて見たときに、遠近感のある２つの画像の位置が変化する面白い置物を提供する。【解決手段】置物１は、透明板材３の前面３Ａに前側画像６Ａが描画され、透明板材３の背面３Ｂに後側画像６Ｂが描画され、透明板材３は透明板材３の前方および側方から後側画像６Ｂを透視可能に構成されている。透明板材３は光学ガラスで構成されるとともに、前側画像６Ａおよび後側画像６Ｂが光学ガラスに塗装可能なエポキシ樹脂塗料を用いて描かれている。前側画像６Ａは近景画像であり、後側画像６Ｂは遠景画像である。前側画像６Ａおよび後側画像６Ｂは蒔絵で構成されている。【選択図】図１
0003220608.tif 000002
【実用新案登録請求の範囲】
【請求項１】
透明板材の前面に前側画像が描画され、前記透明板材の背面に後側画像が描画され、前記透明板材は当該透明板材の少なくとも前方から前記後側画像を透視可能に構成されていることを特徴とする置物。
【請求項２】
前記透明板材が光学ガラスで構成されるとともに、前記前側画像および前記後側画像が前記光学ガラスに塗装可能な塗料を用いて描かれていることを特徴とする請求項１に記載の置物。
【請求項３】
前記前側画像が近景画像であり、前記後側画像が遠景画像であることを特徴とする請求項１または請求項２に記載の置物。
【請求項４】
前記前側画像および前記後側画像が蒔絵で構成されていることを特徴とする請求項１から請求項３のいずれか一項に記載の置物。
【考案の詳細な説明】
【技術分野】
【０００１】
本考案は、透明板材に描かれた画像を有する置物に関するものである。
【背景技術】
【０００２】
従来、この種の置物としては、下記の特許文献１に記載されたものが知られている。斯かる文献１記載の置物は装飾時計であって、アクリル樹脂製の透明板材の前面に蒔絵が描かれ、小型時計が取り付けられている。これにより、時計の置物ではあるが、日本古来の蒔絵という美術装飾品としても喜ばれるという効果を呈するとされている。
【先行技術文献】
【特許文献】
【０００３】
【特許文献１】実開昭５５−１４７６８５号公報
【考案の概要】
【考案が解決しようとする課題】
【０００４】
ところで、前記特許文献１記載の置物では蒔絵が透明板材の前面に描かれているので、前方から置物を見たぶんには、置物が美しさを呈し高級感を醸し出している。
しかしながら、その蒔絵は静止画であり置物の前面にしか描かれていないので、画像全体としての遠近感がなく面白味に欠けていた。例えば、近景を表わした画像と遠景を表わした画像が一つの画像内に混在している場合、前方のいずこから置物を見ても近景と遠景の位置に変化がなかった。
【０００５】
本考案は、上記した従来の問題点に鑑みてなされたものであって、置物の前方から位置を変えて見たときに、遠近感のある２つの画像の位置が変化する面白い置物の提供を目的とする。
【課題を解決するための手段】
【０００６】
上記目的を達成するために、本考案に係る置物は、透明板材の前面に前側画像が描画され、透明板材の背面に後側画像が描画され、透明板材はこの透明板材の少なくとも前方から後側画像を透視可能に構成されているものである。
【０００７】
また、前記構成において、透明板材が光学ガラスで構成されるとともに、前側画像および後側画像が光学ガラスに塗装可能な塗料を用いて描かれていることを特徴とするものである。
【０００８】
そして、前記した各構成において、前側画像が近景画像であり、後側画像が遠景画像であることを特徴とするものである。
【０００９】
更に、前記した各構成において、前側画像および後側画像が蒔絵で構成されていることを特徴とするものである。
【考案の効果】
【００１０】
本考案に係る置物によれば、透明板材の前面に前側画像が描画され、透明板材の背面に描画された後側画像をこの透明板材の少なくとも前方から透視可能に構成されているから、この置物の前方から見る位置を変えると、透明部材の前面で静止している前側画像に対し、透明板材を透して見える背面の後側画像は移動している。従って、前側画像と後側画像の遠近感を醸し出して面白味を呈することができる。
【００１１】
また、前記構成において、透明板材が光学ガラスで構成されるとともに、前側画像および後側画像が光学ガラスに塗装可能な塗料を用いて描かれているものでは、光学ガラスは一般に光透過率および屈折率が高いので、前方から置物を見る位置の変化が少しであっても、前側画像に対して見える後側画像の移動量は大きくなる。また、透明部材を透したにも拘わらず、後側画像を鮮明に見ることができる。これら前側画像および後側画像はガラス用塗料によりしっかりと描くことができる。
【００１２】
そして、前記した各構成において、前側画像が近景画像であり、後側画像が遠景画像であるものでは、観者の近くにある前側画像に対し少し遠くにある後側画像が位置移動する現象を、遠近感のある風景画全体として如実に表わすことができる。
【００１３】
更に、前記した各構成において、前側画像および後側画像が蒔絵で構成されているものでは、美術装飾としての美しさを呈するとともに高級感のある置物を提供することができる。
【図面の簡単な説明】
【００１４】
【図１】本考案の一実施形態に係る置物の斜視図である。
【図２】前記置物の正面図である。
【図３】前記置物の置物本体を示した図であって、（ａ）は前面の描画状態を示す正面図、（ｂ）は背面の描画状態を示す背面図である。
【図４】図２におけるＡ−Ａ線矢視断面図である。
【図５】前記置物を眺めた図であって、（ａ）は置物を正面右側から眺めた形態を示す説明図、（ｂ）は置物を正面左側から眺めた形態を示す説明図、（ｃ）は置物を正面上側から見降ろした形態を示す説明図である。
【考案を実施するための形態】
【００１５】
以下、本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る置物の斜視図、図２は前記置物の正面図、図３は前記置物の置物本体を示した図であって、（ａ）は前面の描画状態を示す正面図、（ｂ）は背面の描画状態を示す背面図である。
各図において、この実施形態に係る置物１は、透明板材３で主として構成された置物本体２と、透明板材３の前面３Ａの上部に形成された装着穴３Ｃに装着される小型時計４と、小型時計４を装着穴３Ｃに固定するために小型時計４の本体外周面に嵌装された合成ゴム製の筒状パッキン５と、から構成されている。展示の際に、漆器調に塗装された台盤Ｂ上に、置物１が載置される。
【００１６】
透明板材３は、例えば光透過率８０％で透過する光線の波長が４２０ｎｍ以下であり且つ屈折率が１．８０ｎｄ程度である光学ガラスで構成されている。また、透明板材３は例えば正面視で上部が半円形状に下部が矩形状に形成されていて、板厚Ｄ（側面３Ｄの厚さ）は例えば２５ｍｍと比較的肉厚である。置物本体２は、透明板材３の前面３Ａに描画された前側画像６Ａと、背面３Ｂに描画された後側画像６Ｂも含んでいる。後側画像６Ｂ（６Ｂａ）は、透明板材３の前方から前面３Ａを通して透視可能であり、透明板材３の側方からも側面３Ｄを通して透視可能である。
【００１７】
前側画像６Ａは、例えば大波を表わした近景画像６Ｃ、例えば波しぶきを表わした近景画像６Ｃａ、ならびに、例えば小波および小舟を表わした近景画像６Ｄ、で構成されている。後側画像６Ｂは、例えば富士山を表わした遠景画像６Ｅで構成されている。これらの近景画像６Ｃ，６Ｃａ，６Ｄおよび遠景画像６Ｅはいずれも、光学ガラスに塗装可能な塗料（この例ではエポキシ樹脂塗料）をベース塗膜として用いた蒔絵で描かれている。
【００１８】
前記の近景画像６Ｃ，６Ｃａ，６Ｄを描いた蒔絵は、図４に示すように、透明板材３の前面３Ａ上に、前面３Ａ側から前後向きに順に、エポキシ樹脂塗料、ラッカーＩ塗料、ラッカーＩ塗料とは種類の異なるラッカーＩＩ塗料、および酸化重合型樹脂塗料が順次塗付および乾燥を繰り返されて、それぞれ、エポキシ樹脂塗膜７、ラッカーＩ塗膜８、ラッカーＩＩ塗膜９、および酸化重合型樹脂塗膜１０が、積層状に形成される。エポキシ樹脂塗料には予め黒色顔料が配合されているので、エポキシ樹脂塗膜７は黒地一色に見られる。すなわち、近景画像６Ｃ，６Ｃａ，６Ｄを斜め後から透明板材３を透して見ると、黒一色に見られる。
【００１９】
一方、前記の遠景画像６Ｅを描いた蒔絵は、透明板材３の背面３Ｂ上に、前面３Ａ側から後向きに順に、エポキシ樹脂塗料、ラッカーＩ塗料、ラッカーＩＩ塗料、および酸化重合型樹脂塗料が順次塗付および乾燥を繰り返されて、それぞれ、エポキシ樹脂塗膜７、ラッカーＩ塗膜８、ラッカーＩＩ塗膜９、および酸化重合型樹脂塗膜１０（黒地塗膜１０Ａ）が、積層状に形成される。遠景画像６Ｅが描かれていない部位の背面３Ｂには、酸化重合型樹脂塗膜１０のみが形成されている。すなわち、置物本体２は背面側から見ると、無模様の黒一色に見られる。この酸化重合型樹脂塗膜１０は、塗料中の溶剤がまず揮発し、次いで空気中の酸素を吸収して酸化重合反応を行なったのちに乾燥したものである。
【００２０】
ラッカーＩ塗料およびラッカーＩＩ塗料としては、例えばスクリーンインクタイプの製品を用いている。この例では、ラッカーＩ塗料とラッカーＩＩ塗料として、同じ種類のラッカー塗料が用いられ、塗りと乾燥がそれぞれに繰り返し行なわれている。尚、これらのラッカー塗料としては、例えばアクリルラッカー、塩化ビニル樹脂塗料、ニトロセルロースラッカー、セラックニスなどを用いることができる。また、酸化重合型樹脂塗料として、この例ではポリエステル系のポリウレタン樹脂塗料を用いている。ポリウレタン樹脂塗料のうちでも、カルダノールのポリエステル由来のものであれば、艶と高い表面硬さを有する漆調風合いの塗膜が得られる。
【００２１】
上記した各塗料の塗布に先立っては、光学ガラスの表面を洗浄して清浄化しておくことが肝要である。その洗浄法は、水を用いる湿式であることが好ましく、表面に残存しやすい界面活性剤を用いることなく、例えば水を適度に加温したのちに超音波洗浄を行なうのが最適である。
【００２２】
上記のように構成された置物１の作用を次に説明する。まず、置物１に向かって右側から見ると、図５（ａ）に示すように、富士山を示す遠景画像６Ｂが、図２に示した真正面の位置と比べて、広幅矢印Ｒのように右に移動して見え、右側の側面３Ｄからも遠景画像６Ｂａが覗いている。反対に、置物１に向かって左側から見ると、同図（ｂ）に示すように、富士山を示す遠景画像６Ｂが、図２に示した真正面の位置と比べて、広幅矢印Ｌのように左に移動して見える。他方で、置物１に向かって上側から見降ろすと、同図（ｂ）に示すように、富士山を示す遠景画像６Ｂが、図２に示した真正面の位置と比べて、広幅矢印Ｕのように上昇して見えるのである。すなわち、置物１を見る方向によって、前側画像６Ａに対する後側画像６Ｂの位置を変化させて見ることができる。
【００２３】
上記したように、この実施形態の置物１によれば、前方から置物１を見る位置を変えると、透明部材３の前面３Ａで静止している前側画像６Ａに対し、透明板材３を透して見える背面３Ｂの後側画像６Ｂは移動する。従って、前側画像６Ａと後側画像６Ｂの遠近感を醸し出すことができ、面白味を呈し得る。また、透明板材３が光透過率および屈折率の高い光学ガラスで構成されており、前側画像６Ａおよび後側画像６Ｂが光学ガラスに塗装可能な塗料（エポキシ樹脂塗料）で描かれているので、透明板材３の表面に強固に描かれるとともに、前方から置物１を見る位置に少しの変化があっても、前側画像６Ａに対して見える後側画像６Ｂの移動量を大きくすることができる。また、後側画像６Ｂを鮮明に見ることができる。そして、前側画像が近景画像であり、後側画像が遠景画像であるものでは、観者の近くにある前側画像６Ａ（近景画像６Ｃ，６Ｃａ，６Ｄ）に対して、少し遠くの後側画像６Ｂ（遠景画像６Ｅ）が位置移動する現象を、遠近感のある風景画としてとらえることができる。更に、前側画像６Ａおよび後側画像６Ｂは蒔絵で構成されているので、美術装飾としての美しさを呈するとともに高級感のある漆調の置物１として提供され得る。
【００２４】
尚、上記の実施形態では、透明板材として光学ガラスを用いた例を示したが、本考案はそれに限定されるものでない。例えば、汎用ガラス、ＰＭＭＡ系、ＰＭＡ系またはＰＡ系のアクリル樹脂などを透明板材として用いることもできる。
また、上記では、光学ガラスの板厚Ｄとして２５ｍｍのものを例示したが、本考案はそれに限られない。但し、光学ガラスの板厚は５ｍｍ以上５０ｍｍ以下とするのが、前後画像の適切な遠近感が得られるとともに材料コストを低減化する上で好ましい。
【００２５】
そして、上記では、ガラス表面に塗装可能な塗料として熱硬化型のエポキシ樹脂塗料を用いた例を例示したが、このようなガラス用塗料としては、前掲のエポキシ樹脂塗料以外に、例えばポリアミド樹脂塗料、アルキド樹脂塗料、アクリルシリコーン樹脂塗料、フッ素樹脂塗料などを用いてもよい。また、熱硬化型以外に、例えばＵＶ硬化型のウレタンアクリレート樹脂塗料やエポキシアクリレート樹脂塗料を用いることも可能である。
また、上記では、蒔絵材料の一つである酸化重合型樹脂系塗料として、カルダノール由来のポリウレタン樹脂塗料を用いた例を例示したが、斯かる塗料としては他に、例えばフェノール樹脂塗料、フタル酸樹脂塗料などが挙げられる。
【符号の説明】
【００２６】
１    置物
２    置物本体
３    透明板材
３Ａ  前面
３Ｂ  背面
３Ｄ  側面
４    時計
６Ａ  前側画像
６Ｂ，６Ｂａ  後側画像
６Ｃ，６Ｃａ，６Ｄ  近景画像
６Ｅ  遠景画像
７    エポキシ樹脂塗膜
８    ラッカーＩ塗膜
９    ラッカーＩＩ塗膜
１０  酸化重合型樹脂塗膜
１０Ａ  黒地塗膜
Ｌ，Ｒ，Ｕ  広幅矢印
【図１】
0003220608.tif 000003
【図２】
0003220608.tif 000004
【図３】
0003220608.tif 000005
【図４】
0003220608.tif 000006
【図５】
0003220608.tif 000007